(57)【要約】      （修正有）【課題】検出範囲を狭小化することなく、安全柵や設備の誤検出を回避しながらも異物を適切に検出することができる物体検出装置を提供する。【解決手段】発光素子２１から出力された測定光を空間に走査するとともに測定光に対する物体からの反射光を受光素子２２に導く走査光学系と測定光と反射光との物理的関係に基づいて物体までの距離及び方向を算出する距離演算回路８３と、距離演算回路で算出された物体までの距離及び方向が所定の監視領域の内側にあるか否かを判定する物体判定回路８５と、監視領域の内側に物体があると判定された場合に物体検知信号を出力する信号出力回路８６とを備え、反射光の強度にかかわらず監視領域の内側に物体があるか否かを判定する第１モードと、反射光の強度が所定の閾値以上のときにのみ監視領域の内側に物体があるか否かを判定する第２モードとの何れかに切り替えるモード切替回路８７とを備えている。【選択図】図５
2020160511.tif 000002
【特許請求の範囲】
【請求項１】
所定の軌道に沿って走行する走行機構を備えた搬送台車と、前記搬送台車に搭載された物体検出装置と、を備えて構成される物体検出システムであって、
前記物体検出装置は、
発光素子と、
受光素子と、
前記発光素子から出力された測定光を空間に走査するとともに測定光に対する物体からの反射光を前記受光素子に導く走査光学系と、
前記発光素子から出力される測定光と前記受光素子で検出される反射光との物理的関係に基づいて前記物体までの距離及び方向を算出する距離演算回路と、
監視領域を記憶する領域記憶回路と、
前記距離演算回路で算出された物体までの距離及び方向が前記記憶回路に記憶された監視領域の内側にあるか否かを判定する物体判定回路と、
前記物体判定回路で前記監視領域の内側に物体があると判定された場合に物体検知信号を出力する信号出力回路と、
前記受光素子で受光された反射光の強度にかかわらず前記距離演算回路、前記物体判定回路及び前記信号出力回路を作動させる第１モードと、前記受光素子で受光された反射光の強度が所定の閾値以上のときに前記距離演算回路、前記物体判定回路及び前記信号出力回路を作動させ、前記受光素子で受光された反射光の強度が所定の閾値未満のときに前記距離演算回路、前記物体判定回路及び前記信号出力回路の何れかの作動を阻止する第２モードとの何れかに切り替えるモード切替回路と、
を備えて構成され、
前記搬送台車は、
前記走行機構を制御して予め設定されたステーションに向けて走行制御するとともに、前記信号出力回路から出力された物体検知信号に基づいて減速または停止制御する走行制御回路と、
前記モード切替回路に前記第１モードまたは前記第２モードの何れかに切り替えるモード切替信号を出力するモード切替信号出力回路と、
を備えて構成されている物体検出システム。
【請求項２】
前記モード切替信号出力回路は、先行する搬送台車の位置情報が取得できないときに、前記第２モードへ切り替えるモード切替信号を出力する請求項１記載の物体検出システム。
【請求項３】
前記搬送台車は、
さらに、前記軌道に沿った走行位置を監視する走行位置監視回路を備え、
前記モード切替信号出力回路は、前記走行位置監視回路で監視された走行位置に基づいて、前記モード切替回路に前記第１モードと前記第２モードの何れかにモードを切り替えるモード切替信号を出力するように構成されている請求項１または２記載の物体検出システム。
【請求項４】
前記物体検出装置は、さらに、前記記憶回路に記憶された複数の監視領域から前記物体判定回路の判定対象となる監視領域を選択する領域選択回路を備え、
前記搬送台車は、さらに、前記走行位置監視回路で監視された走行位置に基づいて、前記物体判定回路の判定対象となる監視領域を選択する領域選択信号を前記領域選択回路に出力する監視領域選択信号出力回路を備えている請求項１から３の何れかに記載の物体検出システム。
【請求項５】
前記モード切替回路は、前記領域選択回路で選択された監視領域毎に前記第１モードと前記第２モードの何れかに切り替え可能に構成されている請求項４記載の物体検出システム。
【請求項６】
前記モード切替信号出力回路は、前記監視領域選択信号出力回路から出力される領域選択信号に対応する監視領域毎に前記モード切替回路に前記第１モードと前記第２モードの何れかにモードを切り替えるモード切替信号を出力する請求項４記載の物体検出システム。
【請求項７】
前記受光素子で受光された反射光の強度が所定の閾値以上となる特定の強反射シートが前記搬送台車の後端部に配置され、前記第２モードでは先行する搬送台車に設けられた前記強反射シートから反射され、前記受光素子で受光された出力のみが前記距離演算回路に出力される請求項１から６の何れかに記載の物体検出システム。
【請求項８】
請求項１から７の何れかの物体検出システムに用いられる搬送台車。
【請求項９】
空間に走査された測定光に対する反射光に基づいて物体を検出する物体検出装置であって、
発光素子と、
受光素子と、
前記発光素子から出力された測定光を空間に走査するとともに測定光に対する物体からの反射光を前記受光素子に導く走査光学系と、
前記発光素子から出力される測定光と前記受光素子で検出される反射光との物理的関係に基づいて前記物体までの距離及び方向を算出する距離演算回路と、
監視領域を記憶する領域記憶回路と、
前記距離演算回路で算出された物体までの距離及び方向が前記記憶回路に記憶された監視領域の内側にあるか否かを判定する物体判定回路と、
前記物体判定回路で前記監視領域の内側に物体があると判定された場合に物体検知信号を出力する信号出力回路と、
前記受光素子で受光された反射光の強度にかかわらず前記距離演算回路、前記物体判定回路及び前記信号出力回路を作動させる第１モードと、前記受光素子で受光された反射光の強度が所定の閾値以上のときに前記距離演算回路、前記物体判定回路及び前記信号出力回路を作動させ、前記受光素子で受光された反射光の強度が所定の閾値未満のときに前記距離演算回路、前記物体判定回路及び前記信号出力回路の何れかの作動を阻止する第２モードとの何れかに切り替えるモード切替回路と、
を備えて構成されている物体検出装置。
【請求項１０】
前記記憶回路に複数の監視領域が記憶され、
前記記憶回路に記憶された複数の監視領域から前記物体判定回路の判定対象となる監視領域を選択する領域選択回路を備え、
前記モード切替回路は、前記領域選択回路で選択された監視領域毎に前記第１モードと前記第２モードの何れかに切り替え可能に構成されている請求項９記載の物体検出装置。
【請求項１１】
前記記憶回路に記憶された複数の監視領域毎に前記第１モードまたは前記第２モードの何れかが設定され、
前記モード切替回路は、前記領域選択回路で選択された監視領域に設定されたモードに切り替える請求項１０記載の物体検出装置。
【請求項１２】
前記記憶回路に記憶される複数の監視領域は、予め外部制御装置から入力可能に構成されている請求項９から１１の何れかに記載の物体検出装置。
【発明の詳細な説明】
【技術分野】
【０００１】
本発明は、物体検出システム、搬送台車及び物体検出装置に関する。
【背景技術】
【０００２】
自動倉庫などに構築される物流管理システムでは、荷物や部品の集荷および配送を効率的に行なうために、倉庫内に集荷用の複数のステーションや配送用の複数のステーションを配置し、各ステーションにわたって搬送台車が走行するための軌道が設置され、同一の軌道上を複数の搬送台車が走行して、搬送台車とステーション間で荷物の受け渡しが行なわれる。この様な搬送台車をＳＴＶ（Sorting Transfer Vehicle の略記、ＳＴＶは登録商標２２６６４９１号）という。
【０００３】
ステーション間を結ぶ軌道は、直線軌道のみならず曲線軌道が組み合わさって構成されており、そのような軌道に沿って走行する搬送台車が、軌道近傍の異物に衝突したり、先行する搬送台車に衝突したりすることが無いように、各搬送台車の前端側に物体検出装置が取り付けられている。
【０００４】
特許文献１には、走行位置に応じて物体の検出領域を変化させることができる無人搬送車の障害物検出センサが開示されている。当該障害物検出センサは、無人搬送車に取り付けられ、その周囲を放射状に分割した所定の角度範囲毎に、検出物体までの距離を測定する非接触式の距離測定器と、前記距離測定器の測定範囲に、指定した複数の境界点を結ぶ線により区画される検出エリアを複数パターン登録する検出エリア登録手段と、無人搬送車の走行区間毎に、検出エリア登録手段に登録された複数の検出エリアのパターンの中から使用するパターンを選択して設定する使用パターン設定手段と、無人搬送車の走行中に、距離測定器で所定の角度範囲毎に測定された検出物体までの距離が、現在の走行区間に設定された検出エリアの範囲内にあるとき、障害物検出の出力を発生する判定手段とを具備している。
【０００５】
また、特許文献２には、天井走行式無人搬送車ＯＨＴ（Overhead Hoist Transfer）に搭載された物体検出装置の一例が開示されている。当該物体検出装置は、天井に配された軌道の近傍に配置される各種の製造設備の壁面からの反射光による誤検出を回避しつつ、先行する無人搬送車との衝突を回避するために、後方の無人搬送車の先端側に走査式測距装置のような物体検出装置が設置され、先行する無人搬送車の後端側に再帰性反射部材が設けられている。
【先行技術文献】
【特許文献】
【０００６】
【特許文献１】特開２００２−２１５２３８号公報
【特許文献２】ＷＯ２０１８／１５０９９８号国際公開公報
【発明の概要】
【発明が解決しようとする課題】
【０００７】
特許文献１に記載された障害物検出センサによれば、無人搬送車の走行経路に沿って物体の検出領域を変更することができるので、走行経路に応じて柔軟に物体を検出することができるようになる。
【０００８】
特許文献２に記載された物体検出装置は、天井に配された軌道の近傍に衝突する虞があるような異物は存在せず、専ら天井走行式無人搬送車ＯＨＴ同士の衝突回避が目的であったため、軌道の近傍に配置される各種の製造設備の壁面からの反射光による誤検出を回避することができれば充分であった。
【０００９】
しかし、物流倉庫の床面に配された軌道に沿って走行する搬送台車の場合、軌道の近傍に接近する人や物を検出して、衝突事故を未然に防止する必要があった。また、軌道の曲線部位に配された安全柵や設備を誤って異物として誤認識することを回避する必要もあった。
【００１０】
そこで、特許文献１に開示されたような走行経路に沿って物体の検出領域を変更する構成を採用し、物体検出装置により監視される監視領域を搬送台車の走行経路に沿って複数に区画し、人が進入する可能性のある領域では監視領域を広く設定し、安全柵や設備が設置された領域では監視領域を狭く設定することで、誤検出を回避しながらも安全性を高めることができる。
【００１１】
しかし、搬送台車の走行経路に沿って監視領域を細かく切替設定するのは、非常に煩雑な制御を伴なうという問題があり、監視領域を狭く設定するとそれだけ先行の搬送台車に対する検出範囲が狭くなり、衝突する虞があるという問題があった。
【００１２】
本発明の目的は、上述の問題に鑑み、検出範囲を狭小化することなく、安全柵や設備の誤検出を回避しながらも異物を適切に検出することができる物体検出システム、搬送台車及び物体検出装置を提供する点にある。
【課題を解決するための手段】
【００１３】
本発明による物体検出システムの第一の特徴構成は、所定の軌道に沿って走行する走行機構を備えた搬送台車と、前記搬送台車に搭載された物体検出装置と、を備えて構成される物体検出システムであって、前記物体検出装置は、発光素子と、受光素子と、前記発光素子から出力された測定光を空間に走査するとともに測定光に対する物体からの反射光を前記受光素子に導く走査光学系と、前記発光素子から出力される測定光と前記受光素子で検出される反射光との物理的関係に基づいて前記物体までの距離及び方向を算出する距離演算回路と、監視領域を記憶する領域記憶回路と、前記距離演算回路で算出された物体までの距離及び方向が前記記憶回路に記憶された監視領域の内側にあるか否かを判定する物体判定回路と、前記物体判定回路で前記監視領域の内側に物体があると判定された場合に物体検知信号を出力する信号出力回路と、前記受光素子で受光された反射光の強度にかかわらず前記距離演算回路、前記物体判定回路及び前記信号出力回路を作動させる第１モードと、前記受光素子で受光された反射光の強度が所定の閾値以上のときに前記距離演算回路、前記物体判定回路及び前記信号出力回路を作動させ、前記受光素子で受光された反射光の強度が所定の閾値未満のときに前記距離演算回路、前記物体判定回路及び前記信号出力回路の何れかの作動を阻止する第２モードとの何れかに切り替えるモード切替回路と、を備えて構成され、前記搬送台車は、前記走行機構を制御して予め設定されたステーションに向けて走行制御するとともに、前記信号出力回路から出力された物体検知信号に基づいて減速または停止制御する走行制御回路と、前記モード切替回路に前記第１モードまたは前記第２モードの何れかに切り替えるモード切替信号を出力するモード切替信号出力回路と、
を備えて構成されている点にある。
【００１４】
モード切替回路で第１モードに切り替えられると、反射光の強度にかかわらず距離演算回路、物体判定回路及び信号出力回路が作動して、監視領域内に物体が検出されると信号出力回路から物体検知信号が出力される。従って、例えば軌道の近傍に進入した人などが障害物として確実に検出されるようになる。また、モード切替回路で第２モードに切り替えられると、受光素子で受光された反射光の強度が所定の閾値以上のときに距離演算回路、物体判定回路及び信号出力回路が作動し、受光素子で受光された反射光の強度が所定の閾値未満のときに距離演算回路、物体判定回路及び信号出力回路の何れかの作動が阻止されるので、監視領域内に物体が存在しても反射光の強度が所定の閾値以上のときにのみ信号出力回路から物体検知信号が出力され、受光素子で受光された反射光の強度が所定の閾値未満であれば、信号出力回路から物体検知信号が出力されることがない。その結果、例えば安全柵などの強度が所定の閾値未満の反射光がノイズとして除去されるようになる。そして、第１モードと第２モードの何れに切り替えるかが、搬送台車のモード切替信号出力回路から出力されるモード切替信号基づいて設定され、例えば軌道に沿って安全柵が近接している走行位置では第２モードが選択され、人が進入する虞のある走行位置では第１モードが選択される。
【００１５】
同第二の特徴構成は、上述の第一の特徴構成に加えて、前記モード切替信号出力回路は、先行する搬送台車の位置情報が取得できないときに、前記第２モードへ切り替えるモード切替信号を出力する点にある。
【００１６】
通常は、搬送台車に先行して走行する他の搬送台車の位置情報がシステムで把握され、予め搬送台車間の車間距離を調整して走行制御されるが、先行する搬送台車の位置情報が取得できないような場合にモード切替信号出力回路から物体検出装置に第２モードへ切り替えるモード切替信号が出力されることで、不意の衝突事故を回避することができるようになる。
【００１７】
同第三の特徴構成は、上述の第一または第二の特徴構成に加えて、前記搬送台車は、さらに前記軌道に沿った走行位置を監視する走行位置監視回路を備え、前記モード切替信号出力回路は前記走行位置監視回路で監視された走行位置に基づいて、前記モード切替回路に前記第１モードと前記第２モードの何れかにモードを切り替えるモード切替信号を出力するように構成されている点にある。
【００１８】
搬送台車に備えた走行位置監視回路で監視された走行位置に応じて、モード切替信号出力回路から物体検出装置のモード切替回路に第１モードと第２モードの何れかに切り替えるモード切替信号が出力されるので、走行位置つまり走行環境に応じて適切に物体が検出されるようになる。
【００１９】
同第四の特徴構成は、上述の第一から第三の何れかの特徴構成に加えて、前記物体検出装置は、さらに、前記記憶回路に記憶された複数の監視領域から前記物体判定回路の判定対象となる監視領域を選択する領域選択回路を備え、前記搬送台車は、さらに、前記走行位置監視回路で監視された走行位置に基づいて、前記物体判定回路の判定対象となる監視領域を選択する領域選択信号を前記領域選択回路に出力する監視領域選択信号出力回路を備えている点にある。
【００２０】
物体検出装置に備えた物体判定回路の判定対象となる監視領域が、搬送台車に備えた走行位置監視回路で監視された走行位置に対応した適切な監視領域に切り替えられるようになる。
【００２１】
同第五の特徴構成は、上述の第四の特徴構成に加えて、前記モード切替回路は、前記領域選択回路で選択された監視領域毎に前記第１モードと前記第２モードの何れかに切り替え可能に構成されている点にある。
【００２２】
モード切替回路によって監視領域毎に第１モードまたは第２モードに切り替えることができるので、柔軟性の高い物体検出システムが実現できる。
【００２３】
同第六の特徴構成は、上述の第四の特徴構成に加えて、前記モード切替信号出力回路は、前記監視領域選択信号出力回路から出力される領域選択信号に対応する監視領域毎に前記モード切替回路に前記第１モードと前記第２モードの何れかにモードを切り替えるモード切替信号を出力する点にある。
【００２４】
予め監視領域毎に第１モードと第２モードの何れのモードを選択するかが設定できるので、きめ細かく対応することができる。
【００２５】
同第七の特徴構成は、上述の第一から第六の何れかの特徴構成に加えて、前記受光素子で受光された反射光の強度が所定の閾値以上となる特定の強反射シートが前記搬送台車の後端部に配置され、前記第２モードでは先行する搬送台車に設けられた前記強反射シートから反射され、前記受光素子で受光された出力のみが前記距離演算回路に出力される点にある。
【００２６】
第２モードに切り替えられると、搬送台車に配置された強反射シートからの反射光のみが障害物として検出され、他の物体からの反射光はノイズとして除去されるようになる。
【００２７】
本発明による搬送台車の特徴構成は、上述した第一から第七の何れかの特徴構成を備えた物体検出システムに用いられる搬送台車である点にある。
【００２８】
物体検出装置から出力される物体検知信号に基づいて適切に走行制御ができるようになる。
【００２９】
本発明による物体検出装置の第一の特徴構成は、空間に走査された測定光に対する反射光に基づいて物体を検出する物体検出装置であって、発光素子と、受光素子と、前記発光素子から出力された測定光を空間に走査するとともに測定光に対する物体からの反射光を前記受光素子に導く走査光学系と、前記発光素子から出力される測定光と前記受光素子で検出される反射光との物理的関係に基づいて前記物体までの距離及び方向を算出する距離演算回路と、監視領域を記憶する領域記憶回路と、前記距離演算回路で算出された物体までの距離及び方向が前記記憶回路に記憶された監視領域の内側にあるか否かを判定する物体判定回路と、前記物体判定回路で前記監視領域の内側に物体があると判定された場合に物体検知信号を出力する信号出力回路と、前記受光素子で受光された反射光の強度にかかわらず前記距離演算回路、前記物体判定回路及び前記信号出力回路を作動させる第１モードと、前記受光素子で受光された反射光の強度が所定の閾値以上のときに前記距離演算回路、前記物体判定回路及び前記信号出力回路を作動させ、前記受光素子で受光された反射光の強度が所定の閾値未満のときに前記距離演算回路、前記物体判定回路及び前記信号出力回路の何れかの作動を阻止する第２モードとの何れかに切り替えるモード切替回路と、を備えて構成されている点にある。
【００３０】
同第二の特徴構成は、上述の第一の特徴構成に加えて、前記記憶回路に複数の監視領域が記憶され、前記記憶回路に記憶された複数の監視領域から前記物体判定回路の判定対象となる監視領域を選択する領域選択回路を備え、前記モード切替回路は、前記領域選択回路で選択された監視領域毎に前記第１モードと前記第２モードの何れかに切り替え可能に構成されている点にある。
【００３１】
同第三の特徴構成は、上述の第二の特徴構成に加えて、前記記憶回路に記憶された複数の監視領域毎に前記第１モードまたは前記第２モードの何れかが設定され、前記モード切替回路は、前記領域選択回路で選択された監視領域に設定されたモードに切り替える点にある。
【００３２】
同第四の特徴構成は、上述の第一から第三の何れかの特徴構成に加えて、前記記憶回路に記憶される複数の監視領域は、予め外部制御装置から入力可能に構成されている点にある。
【発明の効果】
【００３３】
以上説明した通り、本発明によれば、検出範囲を狭小化することなく、安全柵や設備の誤検出を回避しながらも異物を適切に検出することができる物体検出システム、搬送台車及び物体検出装置を提供することができるようになった。
【図面の簡単な説明】
【００３４】
【図１】（ａ）は物流管理システムの平面図、（ｂ）は搬送台車の説明図
【図２】搬送台車の制御システムの機能ブロックを示す説明図
【図３】物体検出装置の外観説明図
【図４】物体検出装置の断面図
【図５】物体検出装置の機能ブロックを示す説明図
【図６】第１モードと第２モードの閾値の説明図
【図７】第１モードと第２モードの切替説明図
【図８】搬送手順を説明するフローチャート
【図９】物体検出手順を説明するフローチャート
【図１０】別実施形態を示す物体検出手順を説明するフローチャート
【発明を実施するための形態】
【００３５】
以下、本発明による物体検出システム、搬送台車及び物体検出装置を、物流管理設備に適用された実施形態を説明する。
【００３６】
図１（ａ）〜（ｃ）に示すように、物流管理設備１００は、建屋の床面に敷設された２本のレールで構成される軌道１と、軌道１上を走行する複数台の搬送台車２と、軌道１に沿って配設された複数のステーション３を備えて構成されている。不用意に人が接近して搬送台車２と接触するような事故を未然に防止し、カーブ走行時の遠心力により荷崩れが発生しても周囲に荷物が飛散しないように、軌道１のうち曲線領域には、周囲に安全柵Ｇが設置されている。
【００３７】
搬送台車２は、軌道１上を走行する前後一対の車輪Ｗが取り付けられたフレームＦと、フレームＦ上に設けられたパレット載置部Ａと、パレット載置部Ａに載置されたパレットＰｌをステーション３との間で移動させる一対のチェーン式のコンベア機構Ｃなどを備えている。
【００３８】
コンベア機構Ｃを介して搬送台車２とステーション３との間で、パレットＰｌに載置された荷物がパレットＰｌと一体で受け渡しされる。この様な搬送台車をＳＴＶ（Sorting Transfer Vehicle の略記、ＳＴＶは登録商標２２６６４９１号）という。なお、図１（ｂ），（ｃ）は略図であるため、車輪Ｗは輪状に描かれていない点に留意されたい。
【００３９】
フレームＦの内部には、物流管理設備１００の全体を制御するホストコントローラＨＣ（図２参照）と通信して、搬送台車２を所定のステーション３に走行し、パレットＰｌに収容された荷物をステーション３との間で移載する搬送制御装置４０（図２参照）や、車輪Ｗを駆動する走行モータ、コンベア機構Ｃを正逆回転駆動するコンベアモータなどが設けられている。
【００４０】
進行方向に向かってフレームＦの前端側には平面視で幅方向中央部に物体検出装置２０が取り付けられ（図１（ｃ）参照。）、フレームＦの後端側には、平面視で幅方向両端に強反射シートである再帰性反射シート２Ａ，２Ｂが設けられるとともに、平面視で幅方向中央部下方に光を拡散反射する反射板２Ｃが垂下されている（図１（ｂ）参照。）。強反射シート２Ａ，２Ｂはカーブ走行時及び直線走行時の検出に用いられ、反射板２Ｃは直線走行時など搬送台車間の距離が所定以上離隔している場合に用いられる。
【００４１】
左カーブで確実に検出できるように、強反射シート２Ａは幅方向中央側領域が軌道１の延伸方向に対して直交する鉛直姿勢に配され、側部領域が軌道１の延伸方向に４５度傾斜している。また、右カーブで確実に検出できるように、強反射シート２Ｂは幅方向中央側領域が軌道１の延伸方向に対して直交する鉛直姿勢に配され、側部領域が軌道１の延伸方向に４５度傾斜している。
【００４２】
図２には、搬送台車２に設けられた搬送制御装置４０を構成する複数の機能ブロックが示されている。搬送制御装置４０は、ＣＰＵ、メモリＩＣ、通信回路、及び入出力回路などの集積回路を備えたマイクロコンピュータ及び周辺回路で構成され、メモリＩＣに格納された制御プログラムがＣＰＵで実行されることにより、各機能が具現化される回路ブロックが構成される。
【００４３】
搬送制御装置４０は、搬送台車２を統括制御する搬送制御回路４１と、搬送制御回路４１の指令に基づいて走行モータを制御する走行制御回路４２と、車輪Ｗに組み込まれたエンコーダから出力されるパルス信号に基づいて軌道上の走行位置を監視する走行位置監視回路４３と、コンベアモータを制御するコンベア制御回路４４と備えている。
【００４４】
走行位置監視回路４３は記憶回路４５に格納された軌道データとエンコーダからのパルス信号に基づいて走行位置を監視する。なお、初期位置はホストコントローラＨＣから受信した位置データや、軌道１上に設けた位置センサなどの出力に基づいて把握可能に構成されている。
【００４５】
さらに、走行位置監視回路４３により監視された走行位置に対応して物体検出装置２０により監視される監視領域を選択するための監視領域選択信号を出力する監視領域選択信号出力回路４９や、物体検出装置２０により実行される物体検出の態様を切り替えためのモード切替信号を出力するモード切替信号出力回路４８を備えている。モード切替信号出力回路４８及び監視領域選択信号出力回路４９は、搬送制御回路４１を構成する論理回路ブロック内に構成されている。
【００４６】
搬送制御回路４１には、ホストコントローラＨＣとの間で無線通信する第１通信インタフェース４６と、物体検出装置２０との間で通信する第２通信インタフェース４７が接続されている。各通信インタフェースの規格は特に限定されるものではなく、汎用の規格を適宜用いることができる。
【００４７】
ホストコントローラＨＣは軌道１上を走行する複数の搬送台車２と個別に無線交信して、各搬送台車２の走行位置を把握し、ステーション３との間で荷物を移載するために、各搬送台車２に対して走行目標ステーションを指示するとともに荷物の移載支持を行なう。
【００４８】
図３には物体検出装置２０の外観が示され、図４には物体検出装置２０の内部構造が示されている。図３に示すように、物体検出装置２０は、略直方体形状の下部ケーシング２０Ａと、略円筒形状の光学窓２０Ｃを備えた上部ケーシング２０Ｂを備えている。下部ケーシング２０Ａには信号接続部ＣＮと表示部２０Ｄが設けられている。
【００４９】
図４に示すように、物体検出装置２０のケーシング２０Ａ，２０Ｂの内部には、発光素子２１と、受光素子２２と、走査光学系２３と、投光レンズ２４と、受光レンズ２５と、信号処理基板３０，３１が収容されている。
【００５０】
上部ケーシング２０Ｂの上面内壁に設置されたモータ５０と、モータ５０の回転軸５１にモータ５０と一体回転可能に固定された偏向ミラー５２によって走査光学系２３が構成されている。偏向ミラー５２は回転軸５１に対して４５度の傾斜角度に設定され、さらに回転軸５１にはモータ５０の回転速度を計測するエンコーダ５３が設けられている。当該エンコーダ５３が測定光の走査角度検出部として機能する。
【００５１】
鉛直姿勢に配されたモータ５０の回転軸５１と同軸心となる光軸Ｐ上で、偏向ミラー５３を挟んでモータ５０とは反対側には、受光レンズ２５と受光素子２２が上下方向に位置を異ならせて配置されている。受光レンズ２５の中央部に筒状に切り欠かれた開孔部が形成され、開孔部の下端に発光素子２１が配置され、その上方に投光レンズ２４が配置されている。
【００５２】
偏向ミラー５２と一体に回転し偏向ミラー５２で偏向された測定光を測定対象空間に案内する測定光光路Ｌ１と反射光を偏向ミラーで５２偏向して受光素子２２に導く反射光光路Ｌ２とを区画する光ガイド部５４が、偏向ミラー５２と一体に回転するように偏向ミラー５２に固定されている。
【００５３】
発光素子２１は、片持ち状に支持された基板にマウントされた赤外域の波長のレーザダイオードで構成されている。レーザダイオードから出射されたコヒーレントな測定光が投光レンズ２４により平行光に成形され、光軸Ｐに沿って偏向ミラー５２に入射し、９０度偏向された後に光軸Ｐ１に沿った光ガイド部５４で区画された内側領域の測定光光路Ｌ１を経由して光学窓２０Ｃから測定対象空間に照射される。
【００５４】
測定対象空間に存在する物体の表面に測定光が照射され、その反射光の一部が光軸Ｐ１に沿って光学窓２０Ｃから光ガイド部５４で区画された外側領域の反射光光路Ｌ２を経由して偏向ミラー５２に入射し、偏向ミラー５２によって９０度偏向された後に受光レンズ２５で集光されて受光素子２２に入射する。
【００５５】
受光レンズ２５は、その周部に形成されたフランジ部がレンズホルダー２６で支持され、当該レンズホルダー２６に発光素子２１を構成する基板が支持されている。さらに、受光素子２２がマウントされた基板や信号処理基板３０，３１がレンズホルダー２６を支持する複数の脚部２７に支持されている。
【００５６】
信号処理基板３０には、物体検出装置２０を制御する制御装置８０（図５参照）が設けられ、信号処理基板３１には、表示部２０Ｄに各種の情報を表示するためのＬＥＤや液晶表示素子がマウントされている。信号処理基板３０と発光素子２１及び受光素子２２は信号線で互いに接続され、信号処理基板３０から下部ケーシング２０Ａに備えた信号接続部ＣＮを介して搬送台車の搬送制御装置４０との間で信号を遣り取りする信号ケーブルが延伸されている。
【００５７】
図５には、制御装置８０の機能ブロック構成が示されている。制御装置８０は、ＣＰＵ、メモリＩＣなどを備えたマイクロコンピュータやデジタルシグナルプロセッサなどの集積回路及び入出力周辺回路で構成され、メモリＩＣに格納された制御プログラムがＣＰＵで実行されることにより、所期の機能が具現化される回路ブロックが構成される。
【００５８】
即ち、制御装置８０は、走査制御回路８１と、発光制御回路８２と、距離演算回路８３と、領域記憶回路８４と、物体判定回路８５と、信号出力回路８６と、モード切替回路８７と、領域選択回路８８と、スイッチ回路８９などの回路ブロックを備えている。
【００５９】
走査制御回路８１は、走査角度検出素子５３で検出された走査角度に基づいてモータ５０を駆動し、走査光学系２３を所定の回転速度で回転制御する回路ブロックである。
【００６０】
発光制御回路８２は、走査角度に基づいて発光素子２１の発光タイミングを制御する回路ブロックである。
【００６１】
距離演算回路８３は、走査光学系２３で走査された測定光と物体からの反射光との物理的関係、つまり時間差または位相差から当該検出物までの距離を算出するとともに、そのときの走査角度を物体の方向として特定する回路ブロックであり、領域記憶回路８４は、監視領域を記憶する回路ブロックである。
【００６２】
物体判定回路８５は、距離演算回路８３で算出された物体までの距離及び方向が記憶回路８４に記憶された監視領域の内側にあるか否かを判定する回路ブロックで、信号出力回路８６は、物体判定回路８５で監視領域の内側に物体があると判定されたときに、物体検知信号を出力する回路ブロックである。
【００６３】
モード切替回路８７は、受光素子２２で受光された反射光の強度にかかわらず距離演算回路８３、物体判定回路８５及び信号出力回路８６を作動させる第１モードと、受光素子２２で受光された反射光の強度が所定の閾値以上のときに距離演算回路８３、物体判定回路８５及び信号出力回路８６を作動させ、受光素子２２で受光された反射光の強度が所定の閾値未満のときに距離演算回路８３、物体判定回路８５及び信号出力回路８６の何れかの作動を阻止する第２モードとの何れかに切り替える回路ブロックである。
【００６４】
スイッチ回路８９は、第１モードが選択されたときに反射光の強度にかかわらず受光素子２２からの出力信号を距離演算回路８３に出力し、第２モードが選択されたときに反射光の強度が所定の閾値以上のときにのみ受光素子２２からの出力信号を距離演算回路８３に出力し、反射光の強度が所定の閾値未満のときに受光素子２２からの出力信号の距離演算回路８３への入力を阻止する回路ブロックである。
【００６５】
本実施形態では、第２モードが選択されるとスイッチ回路８９により反射信号の距離演算回路８３への入力が阻止されるために、距離演算回路８３、物体判定回路８５及び信号出力回路８６の全てが作動しないように構成されているが、スイッチ回路８９を設けることなく、距離演算回路８３、物体判定回路８５及び信号出力回路８６の其々が選択されたモードが第１モードであるか第２モードであるかを個々に判断して所期の動作を行なうように構成してもよい。
【００６６】
この場合は、受光素子２２で受光された反射光に対応する反射信号が距離演算回路８３に入力され、距離演算回路８３で物体までの距離及び方向が算出される際に反射信号の強度が所定の閾値以上であるか否かを判断すればよく、その際にその判断結果が物体判定回路８５及び信号出力回路８６の其々に出力されるように構成すればよい。
【００６７】
測定光と反射光との時間差に基づき距離を算出する方式をＴＯＦ方式といい、以下の数式１により距離ｄが算出される。ここに、Ｃは光速、ΔＴは時間差である。
〔数１〕
ｄ＝（１／２）×Ｃ／ΔＴ
【００６８】
光源を所定の変調周波数でＡＭ変調した測定光と反射光との位相差に基づき距離を算出する方式をＡＭ方式といい、以下の数式２により距離ｄが算出される。ここに、φは計測された位相差、Ｃは光速、Ｆは光源の変調周波数である。
〔数２〕
ｄ＝（１／２）×（φ／２π）×Ｃ／Ｆ
【００６９】
なお、距離演算回路８３には、物体検出装置２０の部品ばらつきなどに起因する誤差を補正する補正演算回路が設けられ、上部ケーシング２０Ｂの内壁の一部に設けられた基準反射板５５（図４参照）からの反射光に基づき算出される距離が所定距離となるように補正係数を求め、上式で算出された距離が当該補正係数により補正された値が出力される。以下では、ＴＯＦ方式が採用された場合を例に説明を続けるが、ＡＭ方式が採用された場合も同様である。
【００７０】
物体判定回路８５は、距離演算回路８３から出力された距離及び方向に基づいて、領域記憶回路８４に記憶された監視領域の内部に物体が位置するか否かを判断し、監視領域の内部に物体が位置すると判断した場合に信号出力回路８６を介して搬送制御回路４１にその旨の信号を出力する。
【００７１】
図１（ａ）には、軌道１のうち直線部を走行する搬送台車２に設定された監視領域Ｒ１（搬送台車２に近い側から順にＲａ，Ｒｂ，Ｒｃの３領域で構成されている。）が破線で示され、軌道１のうち曲線部を走行する搬送台車２に設定された監視領域Ｒ２が破線で示されている。
【００７２】
信号出力回路８５は、直線走行時に領域Ｒａで障害物を検出すると搬送制御回路４１に停止指令を示す信号を出力し、領域Ｒｂで障害物を検出すると搬送制御回路４１に減速指令を示す信号を出力し、領域Ｒｃで障害物を検出すると搬送制御回路４１に警戒指令を示す信号を出力する。
【００７３】
また、信号出力回路８５は、曲線走行時に領域Ｒ２に障害物を検出すると搬送制御回路４１に停止指令を示す信号を出力する。
【００７４】
高速走行する直線走行時には、障害物が検知された場合に、減速から停止までの十分な時間を確保すべく、進行方向に沿って十分に遠方まで監視領域Ｒ１が確保され、また、低速走行する曲線走行時には前方走行車両を見失わないように、走行方向と交差する幅方向に広い監視領域Ｒ２が確保されるように、搬送台車２の走行位置に応じて搬送台車２から送信される領域選択信号に基づいて、領域記憶回路８４に記憶された複数の監視領域から適宜搬送環境に適した監視領域が選択される。
【００７５】
即ち、搬送台車２の走行位置監視回路４３により把握された走行位置情報に基づいて搬送制御回路４１に備えた監視領域選択信号出力回路４９が、適切な監視領域に切り替える旨の監視領域選択指令を物体検出装置２０の制御装置８０に出力すると、領域選択回路８８が領域記憶回路８４に予め記憶されている複数の監視領域から監視領域選択信号に対応した監視領域を読み出して、障害物判断対象の監視領域として採用するように構成されている。
【００７６】
本実施形態では監視領域はＲ１，Ｒ２の２種類であるが、軌道１の形状や設備状況に応じて複数の監視領域に設定することが可能である。搬送台車２の速度が速い場合には、より進行方向に延伸された監視領域を設定し、搬送台車２の速度が比較的遅くオープンなスペースを走行する場合は、進行方向に対して垂直方向（幅方向）に広がった監視領域を設定することが可能である。その場合に搬送台車２の走行位置監視回路４３により把握された走行位置情報に基づいて適切な監視領域に切り替えることが可能である。
【００７７】
曲線走行時の監視領域Ｒ２は幅方向に広いため、軌道１の曲線領域に設置された安全柵Ｇが監視領域Ｒ２に含まれ、安全柵Ｇを障害物と誤認識して走行台車２に停止指令を出力する虞がある。一方、それを回避するため、安全柵Ｇが含まれないように監視領域Ｒ２を狭い監視領域に設定すると、先行する搬送台車２の検出が遅れて衝突を回避できなくなる虞がある。
【００７８】
そこで、安全柵Ｇのような一般的な設備の表面が光散乱面で構成されている点に着目して、監視領域Ｒ２を狭くすることなく、搬送台車２と他の物体とを明確に識別できるように上述したモード切替回路８７を設けている。
【００７９】
上述したように、モード切替回路８７により第１モードに切り替えられると、受光素子２２で受光された反射光の強度にかかわらず距離演算回路８３、物体判定回路８５及び信号出力回路８６が作動し、監視領域内に物体が検出されるとその結果が信号出力回路８６から出力される。
【００８０】
モード切替回路８７により第２モードに切り替えられると、受光素子２２で受光された反射光の強度が所定の閾値以上のときに距離演算回路８３、物体判定回路８５及び信号出力回路８６が作動し、受光素子２２で受光された反射光の強度が所定の閾値未満のときに距離演算回路８３、物体判定回路８５及び信号出力回路８６の何れかの作動が阻止されるので、反射光の強度が所定の閾値以上のときにのみ監視領域内に物体が検出されるとその結果が信号出力回路８６から出力され、反射光の強度が所定の閾値未満であれば、監視領域内に物体が存在していても信号出力回路８６から物体検出信号が出力されることはない。
【００８１】
安全柵Ｇのような光散乱面で反射され、受光素子２２で検出された信号の強度と、搬送台車２に設置された再帰性反射シート２Ａ，２Ｂで反射され、受光素子２２で検出された信号の強度とを分離する比較器をスイッチ回路８９として用いることができる。
【００８２】
比較器により、所定の閾値電圧よりも高い再帰性反射シート２Ａ，２Ｂからの反射信号が距離演算回路８３に出力され、所定の閾値電圧よりも低い光散乱面からの反射信号が遮断される。
【００８３】
比較器に代えて、受光素子２２で検出された反射光に対応する信号を、所定の閾値電圧よりも高い場合に信号を通過させ、所定の閾値電圧よりも低い場合に信号を遮断するアナログスイッチ回路８９を用いることも可能である。
【００８４】
前者はＴＯＦ方式が採用された場合に好適であり、後者はＡＭ方式が採用された場合に好適となる。
【００８５】
搬送台車２に備えたモード切替信号出力回路４８は、走行位置監視回路４３で監視された走行位置に基づいて、モード切替回路８７に第１モードと第２モードの何れかにモードを切り替えるモード切替信号を出力する。
【００８６】
搬送台車２に備えた監視領域選択信号出力回路４９は、走行位置監視回路４３で監視された走行位置に基づいて領域選択回路８８に監視領域選択信号を出力し、領域記憶回路８４に記憶された複数の監視領域から物体判定回路８５の判定対象となる監視領域を指定する。
【００８７】
本実施形態では、曲線走行時には監視領域がＲ２に切り替えられるとともに、第１モードから第２モードに切り替えられ、直線走行時には監視領域がＲ１に切り替えられるとともに、第２モードから第１モードに切り替えられる。つまり、監視領域の切替に同期して第１モードと第２モードが切り替えられる。
【００８８】
即ち、モード切替回路８７は、領域選択回路８８で選択された監視領域毎に第１モードと第２モードの何れかに切り替え可能に構成されている。また、モード切替信号出力回路４８は、監視領域選択信号出力回路４９から出力される領域選択信号に対応する監視領域毎にモード切替回路８７に第１モードと第２モードの何れかにモードを切り替えるモード切替信号を出力する。
【００８９】
監視領域は予め外部より領域記憶回路８４に設定され、その領域数は記憶容量に応じて十分な数だけ設定することが可能である。各監視領域に対応付けて第１モードまたは第２モードを振り分けることができ、それにより監視領域を設定すると同時にモードの設定が行われるように構成することも可能である。この場合には、モード切替信号出力回路４８を作動させる必要はない。
【００９０】
図１では監視領域Ｒ２として一つの領域のみが設定されているが、監視領域Ｒ１と同様に、搬送台茶２に近接した順にＲ２ａ，Ｒ２ｂ，Ｒ２ｃなど複数に区画された監視領域を設定し、それぞれの監視領域Ｒ２ａ，Ｒ２ｂ，Ｒ２ｃに対応した物体検出信号を出力１、出力２、出力３というように出力されるように構成してもよい。搬送台車２に備えた走行制御回路４２により、出力１に対応して緊急停止制御、出力２に対応して減速制御、出力３に対応して警戒制御（加速をしないなど）が行なわれる。また、領域Ｒ２ａ，Ｒ２ｂ，Ｒ２ｃ毎に第１モード、第２モードを個別に設定するように構成してもよい。
【００９１】
なお、監視領域Ｒ１，Ｒ２の切替とモード切替回路８７の動作が同期して切り替わるように構成することが好ましいが、必須ではない。同じ監視領域であっても走行位置によっては第１モードと第２モードを切り替える必要がある場合も想定されるためである。また、搬送台車の走行位置で監視領域を切り替えているが必須でない。
【００９２】
以上説明した態様に加えて、搬送台車２に備えたモード切替信号出力回路４８は、先行する搬送台車の位置情報が取得できないときに、第２モードへ切り替えるモード切替信号を出力するように構成されている。
【００９３】
ホストコントローラＨＣは各搬送台車と交信し、軌道１のどの位置に度の搬送台車が走行しているのかを把握可能に構成されている。そのため、通常は、搬送台車２に先行して走行する他の搬送台車の位置情報がホストコントローラＨＣで把握され、予め搬送台車間の車間距離を調整して走行制御される。
【００９４】
しかし、システムの立上げ時などに搬送台車の走行位置を把握するまでの間は、各搬送車の並び順が把握できない。また、搬送台車に異常が生じて交信ができなくなった場合に、他の搬送台車に対して走行指令を出力すると、衝突事故など不測の事態を招く虞がある。
【００９５】
そこで、ホストコントローラＨＣが先行する搬送台車の位置情報が取得できないような場合に、その後方で走行する搬送台車に第２モードへ切り替えるように指示することで、当該搬送台車のモード切替信号出力回路４８から物体検出装置２０に第２モードへ切り替えるモード切替信号が出力され、これにより、不意の衝突事故を回避することができるようになる。なお、この場合、後方で走行する搬送台車は通常の走行速度よりも低い走行速度で走行するように構成することが好ましい。
【００９６】
前を走行する搬送台車の位置情報が取得できないときとは、ホストコントローラＨＣで把握されるべき各搬送台車の並び順が確定するまでの間で、前を走行する搬送台車が何号機であるか把握できないとき、前を走行する搬送台車の走行系に異常が発生し、当該搬送台車の現在位置が不明になったとき、前を走行する搬送台車の電源が消失したときなどである。
【００９７】
図６（ａ）には、物体検出装置２０の測定光の走査方向θ２、反射シートと測定光の光軸とのなす角度θ１を其々異ならせた場合に、２種類の反射シート（再帰性反射シートと光散乱反射シート）に対して受光素子２２で検出される反射光強度の特性が示されている。光散乱反射シートとして白色ケント紙を用いている。
【００９８】
図６（ｂ）に示すように、測定光の走査方向が搬送台車２の直線進行方向に沿う場合を０度として、其々左右に４５度、９０度の走査方向に対して、反射シートを光軸に対して±４５度の範囲で変化させた場合の特性である。図中、白丸は、再帰性反射シートの特性を示し、黒丸は光散乱反射シートの特性を示す。なお、再帰性反射シートと物体検出装置２０の距離は１５００ｍｍ、３００ｍｍに設定され、光散乱反射シートと物体検出装置２０の距離は３００ｍｍに設定されている。
【００９９】
図６（ｂ）に示すように、光散乱反射シートに対する反射光強度は、距離３００ｍｍの近傍に設置された場合でも、距離１５００ｍｍの遠方に設置された再帰性反射シートに対する反射光強度よりも十分に低く、両者の間に破線で示すような所定の閾値を設定することにより、物体検出装置２０からの離隔距離が３００ｍｍから１５００ｍｍの範囲で両者が識別可能であることが示されている。つまり、所定の閾値以上の反射光のみを検出する第２モードを採用することで安全柵Ｇなどの光散乱反射体の影響を排除でき、所定の閾値未満の反射光を含めて全ての反射光を検出する第１モードを採用することで全ての反射光を障害物検知に活用できるようになる。
【０１００】
図７には、軌道１のレール面を基準に、前方に走行する搬送台車２の後面側に設置された反射シート２Ａ，２Ｂ及び光散乱用の反射板２Ｃの設置高さと、後方から走行する搬送台車２の前面側に設置された物体検出装置２０から出射される測定光の走査面との関係が示されている。
【０１０１】
各搬送台車２に設置された物体検出装置２０の測定光が互いに迷光として検出されることが無いように、水平面に対して走査面を３度下方に傾斜させている。そのため、車両間隔が開くほど測定光が水平面より下方にずれる。なお、走査面の水平面に対する傾斜角度は特に限定される値ではない。
【０１０２】
Ｄ１は仕様上第２モードによる物体検出が可能とされる距離となる。Ｄ３は直線走行時等、通常の走行区域内で先行搬送台車を検出する必要のある距離となり第１モードで物体検出される。
【０１０３】
通常の走行区域に比べカーブ区域内では搬送台車は速度を落として走行するため、一般的にＤ１＜Ｄ３の関係となる。カーブ区域内では先行搬送台車と周辺の防御壁とを区分して先行搬送台車のみを検知する必要があり、第２モードで物体検知を行う。
【０１０４】
そのため車間距離Ｄ１以内で先行搬送台車が検出可能なように、搬送台車の後方に取り付ける再帰性反射シート２Ａ，２Ｂは、車間距離Ｄ１以内で測定光が照射されその反射光が物体検出装置２０に検出される高さに設置される。
【０１０５】
車両間隔がＤ２を越えると、測定光の走査面が先行搬送台車のバンパーより下面となり、反射光が物体検出装置に帰ってこない恐れがある。そのためＤ２より車間距離が離れた場合も確実に先行搬送台車が検出されるように、Ｄ２より車間距離が離れている場合でも反射光が確実に物体検出装置で検出が可能な高さに反射板２Ｃが設けられる。
【０１０６】
なお、Ｄ０より近い距離では、白ケント紙など通常の散乱光反射物と再帰反射シートからの反射光の反射光強度が分離困難な程度に近接するため、第２モードの検出範囲はＤ１からＤ０までとなる。Ｄ３は物体検出装置の性能で決まる物体検出可能な最大距離となり、第１モードに設定される場合はＤ３の距離以内で物体検知可能となる。本実施形態では、Ｄ０＝３００ｍｍ、Ｄ１＝１５００ｍｍ、Ｄ２＝１９００ｍｍ、Ｄ３≒５５００ｍｍである。Ｄ０、Ｄ１は図６の評価結果より定められたものであり、物体検出装置の性能や再帰性反射板の性能その他を考慮して適宜定められるものである。
【０１０７】
図８には、搬送制御装置４０によって実行される搬送制御の処理手順が示されている。ホストコントローラＨＣとの間で所定の通信が実行され、所定のステーション３に走行するように指令を受けると（ＳＡ１）、走行制御回路４２によって走行モータが駆動され、目標ステーション３に向けて走行制御される（ＳＡ２）。
【０１０８】
走行に伴って走行位置監視回路４３によって走行位置が監視され（ＳＡ３）、直線走行時には、直線走行用の監視領域に設定し第１モードで障害物を検知するように、物体検出装置２０に指令を出力し、曲線走行に入ると、曲線走行用の監視領域に設定し第２モードで障害物を検知するように、物体検出装置２０に指令を出力する（ＳＡ４）。
【０１０９】
なお、予め監視領域と関連付けられて第１モード／第２モードが物体検出装置２０の領域記憶回路８４に記憶されている場合では、監視領域の選択指令を物体検出装置２０に出力することで、自動的に第１モード／第２モードが選択設定されるように構成してもよい。
【０１１０】
物体検出装置２０から障害物検知信号（停止指令）が入力されると、直ちに停止して障害物検知信号が解除されるまで待機し（ＳＡ９）、障害物検知信号が入力されず、目標ステーション３に到着するまでは（ＳＡ６，Ｎ）、ステップＳＡ３からステップＳＡ５，ＳＡ９の処理が繰り返される。なお、直線走行時には、監視領域Ｒｂに対応して物体検出装置２０から減速指定が入力されると減速制御し、監視領域Ｒｃに対応して物体検出装置２０から警戒指令が入力されると、例えば加速制御を停止して定速制御に入る。
【０１１１】
目標ステーション３に到着すると（ＳＡ６，Ｙ）、搬送台車２を停止して（ＳＡ７）、ステーション３との間で荷物を移載する。そして、ステップＳＡ１からＳＡ８までの処理が繰り返される。
【０１１２】
図９には、物体検出装置２０の制御装置８０の処理手順が示されている。走査用のモータ５０を起動して、走査角度検出素子５３の出力であるエンコーダパルスに基づいて所定の目標速度で回転制御し、当該エンコーダパルスに基づいて所定走査角度になると発光素子２１を駆動してパルス光を出力する（ＳＢ１）。
【０１１３】
第２モードが選択されていれば（ＳＢ２，Ｙ）、所定の閾値以上の強度の反射光が検出されるまでステップＳＢ１からステップＳＢ３の処理が繰り返され、第２モードが選択されていなければ（ＳＢ２，Ｎ）、何らかの反射光が検出されるまで、ステップＳＢ１からステップＳＢ４の処理が繰り返される。
【０１１４】
ステップＢ３，Ｂ４で反射光が検知されると、物体までの距離・方向が算出され（ＳＢ５）、算出された距離・方向が監視領域の内部であるか否かが判断される（ＳＢ６）。監視領域の内部に障害物があると判断されると（ＳＢ６，Ｙ）、搬送台車２に障害物検知信号を出力する（ＳＢ７）。
【０１１５】
なお、図９のフローチャートでは、第２モード選択と閾値判定の処理ＳＢ２、ＳＢ３、ＳＢ４の処理がＳＢ１とＳＢ５の間で実行されるように記載されているが、ＳＢ６とＳＢ７の間で実行されてもよい。さらに図９では走査角度毎にモードの判定と物体判定を実施しているが、所定の走査角範囲内の全ての測定距離、走査角度、反射光強度を一旦記憶装置に蓄積した後、ＳＢ２からＳＢ７を実行するように構成してもよい。処理の実施内容・順序は特に上記に限定されるものではない。
【０１１６】
図１０には、測定光の走査周期を単位に実行される物体検出処理の手順が示されている。監視領域として設定された領域が１領域のみではなく、ｎ領域に分割された場合が示されている。例えば、図１の領域Ｒ１のように、領域がＲａ，Ｒｂ，Ｒｃの３領域である場合には、ｎ＝３となる。
【０１１７】
上述した実施形態では、第１モードでは、受光素子２２で受光された反射光の強度にかかわらず距離演算回路、物体判定回路及び信号出力回路を作動させる旨説明したが、ノイズを除去することを目的として微小レベルの反射光を除去することを排除する意図はなく、充分に低い閾値でノイズを除去する場合も第１モードに含まれる。
【０１１８】
以上説明した実施形態では、第１モードでは距離演算回路８３、物体判定回路８５及び信号出力回路８６の全てが作動し、第２モードでは全てが非作動するように構成されているが、第２モードが選択されたときには、距離演算回路８３、物体判定回路８５及び信号出力回路８６の何れかが非作動に切り替えられればよい。
【０１１９】
以上説明したように、本発明による物体検出システムは、所定の軌道に沿って走行する走行機構を備えた搬送台車と、搬送台車に搭載された物体検出装置と、を備えて構成される物体検出システムであって、物体検出装置は、発光素子と、受光素子と、発光素子から出力された測定光を空間に走査するとともに測定光に対する物体からの反射光を受光素子に導く走査光学系と、発光素子から出力される測定光と受光素子で検出される反射光との物理的関係に基づいて物体までの距離及び方向を算出する距離演算回路と、監視領域を記憶する領域記憶回路と、距離演算回路で算出された物体までの距離及び方向が記憶回路に記憶された監視領域の内側にあるか否かを判定する物体判定回路と、物体判定回路で監視領域の内側に物体があると判定された場合に物体検知信号を出力する信号出力回路と、受光素子で受光された反射光の強度にかかわらず距離演算回路、物体判定回路及び信号出力回路を作動させる第１モードと、受光素子で受光された反射光の強度が所定の閾値以上のときに距離演算回路、物体判定回路及び信号出力回路を作動させ、受光素子で受光された反射光の強度が所定の閾値未満のときに距離演算回路、物体判定回路及び信号出力回路の何れかの作動を阻止する第２モードとの何れかに切り替えるモード切替回路と、を備えて構成され、搬送台車は、走行機構を制御して予め設定されたステーションに向けて走行制御するとともに、信号出力回路から出力された物体検知信号に基づいて減速または停止制御する走行制御回路と、モード切替回路に前記第１モードまたは第２モードの何れかに切り替えるモード切替信号を出力するモード切替信号出力回路と、を備えて構成されている。
【０１２０】
そして、モード切替信号出力回路は、先行する搬送台車の位置情報が取得できないときに、第２モードへ切り替えるモード切替信号を出力するように構成されている。
【０１２１】
搬送台車は、さらに、軌道に沿った走行位置を監視する走行位置監視回路を備え、モード切替信号出力回路は、走行位置監視回路で監視された走行位置に基づいて、モード切替回路に第１モードと第２モードの何れかにモードを切り替えるモード切替信号を出力するように構成されている。
【０１２２】
物体検出装置は、さらに、記憶回路に記憶された複数の監視領域から物体判定回路の判定対象となる監視領域を選択する領域選択回路を備え、搬送台車は、さらに、走行位置監視回路で監視された走行位置に基づいて、物体判定回路の判定対象となる監視領域を選択する領域選択信号を前記領域選択回路に出力する監視領域選択信号出力回路を備えている。
【０１２３】
モード切替回路は、領域選択回路で選択された監視領域毎に第１モードと第２モードの何れかに切り替え可能に構成されている。
【０１２４】
モード切替信号出力回路は、監視領域選択信号出力回路から出力される領域選択信号に対応する監視領域毎にモード切替回路に第１モードと第２モードの何れかにモードを切り替えるモード切替信号を出力するよう構成されている。
【０１２５】
さらに、受光素子で受光された反射光の強度が所定の閾値以上となる特定の強反射シートが搬送台車の後端部に配置され、第２モードでは先行する搬送台車に設けられた強反射シートから反射され、受光素子で受光された出力のみが前記距離演算回路に出力されるように構成されている。
【０１２６】
以上説明した実施形態は何れも本発明の一実施例に過ぎず、当該記載により本発明の範囲が限定されるものではなく、各部の具体的構成は本発明による作用効果を奏する範囲において適宜変更することができることは言うまでもない。
【符号の説明】
【０１２７】
１：軌道（レール）
２：搬送台車
２Ａ，２Ｂ：強反射シート（再帰性反射シート）
２Ｃ：光散乱反射シート
３：ステーション
２０：物体検出装置
２１：発光素子
２２：受光素子
２３：光走査部
２４：投光レンズ
２５：受光レンズ
４０：搬送制御装置
４１：搬送制御回路
４２：走行制御回路
４３：走行位置監視回路
４４：コンベア制御回路
４５：記憶回路
４６：第１通信インタフェース
４７：第２通信インタフェース
４８：モード切替信号出力回路
４９：監視領域選択信号出力回路
８０：制御装置
８１：走査制御回路
８２：発光制御回路
８３：距離演算回路
８４：領域記憶回路
８５：物体判定回路
８６：信号出力回路
８７：モード切替回路
８８：領域選択回路
８９：スイッチ回路
１００：物流管理設備
【図１】
2020160511.tif 000003
【図２】
2020160511.tif 000004
【図３】
2020160511.tif 000005
【図４】
2020160511.tif 000006
【図５】
2020160511.tif 000007
【図６】
2020160511.tif 000008
【図７】
2020160511.tif 000009
【図８】
2020160511.tif 000010
【図９】
2020160511.tif 000011
【図１０】
2020160511.tif 000012